(57)【要約】  【課題】電話機を載置台に載置した状態でも通話が可能であり、且つ載置台に、電話機とのインターフェース切替用の制御回路を搭載する必要のない技術を提供する。  【解決手段】載置台３に操作信号出力端子３１１を設けると共にコードレス電話機２に操作信号入力端子２１１１を設け、これらの端子により載置台３に設けられた操作受付部３２をコードレス電話機２の操作信号ライン２１４に連結する。また、載置台３に表示信号入力端子３１２を設けると共にコードレス電話機２に表示信号出力端子２１１２を設け、これらの端子により載置台３に設けられた表示部３３をコードレス電話機２の表示信号ライン２１５に連結する。さらに、載置台３およびコードレス電話機２各々に音声信号入出力端子３１３、２１１３を設け、これらの端子により載置台３に設けられたハンズフリー部３４をコードレス電話機２の音声信号ライン２１６に連結する。【選択図】図１
2008259006.tif 000002
【特許請求の範囲】
【請求項１】
電話機および前記電話機の載置台を有する電話装置であって、
前記載置台は、
自載置台に載置されている前記電話機に操作信号を出力する操作信号出力端子と、
自載置台に載置されている前記電話機から表示信号を入力する表示信号入力端子と、
自載置台に載置されている前記電話機に音声信号を出力すると共に、自載置台に載置されている前記電話機から音声信号を入力する載置台側音声信号入出力端子と、
ユーザから操作を受け付け、受け付けた操作内容に応じた操作信号を前記操作信号出力端子から出力する載置台側操作受付手段と、
前記表示信号入力端子を介して入力された表示信号に従い情報を表示する載置台側表示手段と、
前記載置台側音声信号入出力端子を介して入力された音声信号に従い音声を出力する共に、ユーザから音声を受け付け、受け付けた音声に応じた音声信号を前記載置台側音声信号入出力端子から出力する載置台側音声入出力手段と、を有し、
前記電話機は、
自電話機を載置している前記載置台から操作信号を入力する操作信号入力端子と、
自電話機を載置している前記載置台に表示信号を出力する表示信号出力端子と、
自電話機を載置している前記載置台に音声信号を出力すると共に、自電話機を載置している前記載置台から音声信号を入力する電話機側音声信号入出力端子と、
ユーザから操作を受け付け、受け付けた操作内容に応じた操作信号を出力する電話機側操作受付手段と、
入力された表示信号に従い情報を表示する電話機側表示手段と、
入力された音声信号に従い音声を出力する共に、ユーザから音声を受け付け、受け付けた音声に応じた音声信号を出力する電話機側音声入出力手段と、
前記操作信号入力端子および前記電話機側操作受付手段の各々から操作信号を受け付け、処理する操作信号処理手段と、
表示信号を生成して、前記表示信号出力端子および前記電話機側表示手段の各々に出力する表示信号処理手段と、
前記電話機側音声信号入出力端子および前記電話機側音声入出力手段の各々と送受信する音声信号を処理する音声信号処理手段と、を有する
ことを特徴とする電話装置。
【請求項２】
請求項１に記載の電話装置であって、
前記電話機は、
自電話機の前記載置台への載置状態を判断する載置状態判断手段と、
前記載置状態判断手段により自電話機が前記載置台に載置されていると判断された場合に、前記電話機側音声入出力手段の動作を停止する電話機側音声入出力制御手段と、をさらに有する
ことを特徴とする電話装置。
【請求項３】
請求項２に記載の電話装置であって、
前記載置台は、
自載置台に載置されている前記電話機に電力を供給する電力供給端子と、
前記電力供給端子を介して、自載置台に載置されている前記電話機を充電する充電手段と、をさらに有し、
前記電話機は、
自電話機を載置している前記載置台から電力を入力する電力入力端子と、
前記電力入力端子に入力された電力を蓄電する蓄電手段と、をさらに有し、
前記載置状態判断手段は、
前記電力入力端子に入力される電力の状態に基づいて、自電話機の前記載置台への載置状態を判断する
ことを特徴とする電話装置。
【請求項４】
請求項２又は３に記載の電話装置であって、
前記載置台は、
自載置台に付与された識別情報を記憶する識別情報記憶手段と、
自載置台に載置されている前記電話機に、前記識別情報記憶手段に記憶されている識別情報を出力する識別情報出力端子と、をさらに有し、
前記電話機は、
自電話機を載置している前記載置台から識別情報を入力する識別情報入力端子と、
前記載置状態判断手段により自電話機が前記載置台に載置されていると判断された場合に、前記識別情報入力端子を介して入力された識別情報に従い、前記表示信号処理手段が生成する表示信号を制限する表示制限手段と、をさらに有する
ことを特徴とする電話装置。
【請求項５】
請求項４に記載の電話装置であって、
前記電話機は、
電話番号毎に、複数の項目からなる個人情報が記憶された個人情報記憶手段と、
識別情報毎に、前記個人情報記憶手段に記憶されている個人情報各々について表示許可項目が記憶された表示許可項目記憶手段と、を有し、
前記表示制限手段は、
前記表示信号処理手段が生成する、前記個人情報記憶手段に記憶されている個人情報を表示するための表示信号を、前記識別情報入力端子を介して入力された識別情報に対応付けられて前記表示許可項目記憶手段に記憶されている当該個人情報の表示許可項目の情報に制限する
ことを特徴とする電話装置。
【請求項６】
請求項２又は３に記載の電話装置であって、
前記載置台は、
自載置台に付与された識別情報を記憶する識別情報記憶手段と、
自載置台に載置されている前記電話機に、前記識別情報記憶手段に記憶されている識別情報を出力する識別情報出力端子と、をさらに有し、
前記電話機は、
自電話機を載置している前記載置台から識別情報を入力する識別情報入力端子と、
前記載置状態判断手段により自電話機が前記載置台に載置されていると判断された場合に、前記識別情報入力端子を介して入力された識別情報に従い、前記操作信号処理手段が受け付ける操作信号を制限する操作制限手段と、をさらに有する
ことを特徴とする電話装置。
【請求項７】
請求項６に記載の電話装置であって、
前記操作制限手段は、
前記識別情報入力端子を介して入力された識別情報が所定の識別情報でない場合に、前記操作信号処理手段での電話帳データ編集の操作信号の受け付けを拒否する
ことを特徴とする電話装置。
【請求項８】
請求項６に記載の電話装置であって、
前記操作制限手段は、
前記識別情報入力端子を介して入力された識別情報が所定の識別情報でない場合に、前記操作信号処理手段でのリダイアルの操作信号の受け付けを拒否する
ことを特徴とする電話装置。
【発明の詳細な説明】
【技術分野】
【０００１】
本発明は、電話機および載置台を有する電話装置の技術に関する。
【背景技術】
【０００２】
特許文献１には、移動性を重視した移動型子機を使用すると共に、移動型子機の充電台に固定型子機の機能を付加することにより、移動性及び機能性をともに兼ね備えることを可能としたコードレス電話システムが開示されている。このコードレス電話システムにおいて、充電台は、移動型子機が自充電台に載置されている場合、データ端子を介して、移動型子機と情報信号の送受信を行い、移動型子機が自充電台から取り外されている場合は、赤外線通信により、移動型子機と情報信号の送受信を行う。
【０００３】
【特許文献１】特開平９−２２４０７５号公報
【発明の開示】
【発明が解決しようとする課題】
【０００４】
特許文献１に記載のコードレス電話システムでは、充電台および移動型子機のそれぞれに、移動型子機の充電台への載置状態を監視し、この載置状態に応じて、相手装置とのインターフェース（データ端子か、それとも赤外線通信か）を切り替える制御回路（例えばＩＣチップ）を搭載する必要がある。このため、コストが嵩む。また、特許文献１に記載のコードレス電話システムは、移動型子機を充電台に載置した状態での通話を考慮していない。
【０００５】
本発明は上記事情に鑑みてなされたものであり、本発明の目的は、電話機を載置台に載置した状態でも通話が可能であり、且つ載置台に、電話機とのインターフェース切替用の制御回路を搭載する必要のない技術を提供することにある。
【課題を解決するための手段】
【０００６】
上記課題を解決するために、本発明では、載置台に操作信号出力端子を設けると共に、電話機に操作信号入力端子を設け、これらの端子を介して、載置台に設けられた操作受付手段を電話機の操作信号ラインに連結する。また、載置台に表示信号入力端子を設けると共に、電話機に表示信号出力端子を設け、これらの端子を介して、載置台に設けられた表示手段を電話機の表示信号ラインに連結する。さらに、載置台および電話機のそれぞれに音声信号入出力端子を設け、これらの端子を介して、載置台に設けられた音声入出力手段を電話機の音声信号ラインに連結する。
【０００７】
例えば、本発明は、電話機および前記電話機の載置台を有する電話装置であって、
前記載置台は、
自載置台に載置されている前記電話機に操作信号を出力する操作信号出力端子と、
自載置台に載置されている前記電話機から表示信号を入力する表示信号入力端子と、
自載置台に載置されている前記電話機に音声信号を出力すると共に、自載置台に載置されている前記電話機から音声信号を入力する載置台側音声信号入出力端子と、
ユーザから操作を受け付け、受け付けた操作内容に応じた操作信号を前記操作信号出力端子から出力する載置台側操作受付手段と、
前記表示信号入力端子を介して入力された表示信号に従い情報を表示する載置台側表示手段と、
前記載置台側音声信号入出力端子を介して入力された音声信号に従い音声を出力する共に、ユーザから音声を受け付け、受け付けた音声に応じた音声信号を前記載置台側音声信号入出力端子から出力する載置台側音声入出力手段と、を有し、
前記電話機は、
自電話機を載置している前記載置台から操作信号を入力する操作信号入力端子と、
自電話機を載置している前記載置台に表示信号を出力する表示信号出力端子と、
自電話機を載置している前記載置台に音声信号を出力すると共に、自電話機を載置している前記載置台から音声信号を入力する電話機側音声信号入出力端子と、
ユーザから操作を受け付け、受け付けた操作内容に応じた操作信号を出力する電話機側操作受付手段と、
入力された表示信号に従い情報を表示する電話機側表示手段と、
入力された音声信号に従い音声を出力する共に、ユーザから音声を受け付け、受け付けた音声に応じた音声信号を出力する電話機側音声入出力手段と、
前記操作信号入力端子および前記電話機側操作受付手段の各々から操作信号を受け付け、処理する操作信号処理手段と、
表示信号を生成して、前記表示信号出力端子および前記電話機側表示手段の各々に出力する表示信号処理手段と、
前記電話機側音声信号入出力端子および前記電話機側音声入出力手段の各々と送受信する音声信号を処理する音声信号処理手段と、を有する。
【発明の効果】
【０００８】
本発明によれば、電話機を載置台に載置した状態でも通話が可能である。また、載置台に、載置状態に応じて電話機とのインターフェースを切り替えるための制御回路を搭載する必要がない。
【発明を実施するための最良の形態】
【０００９】
以下、本発明の実施の形態について説明する。
【００１０】
図１は、本発明の一実施の形態が適用された電話装置の概略構成図である。
【００１１】
図示するように、本実施の形態の電話装置１は、無線ＡＰ（アクセスポイント）４を介してＩＰ電話網５と通信を行うコードレス電話機２と、コードレス電話機２の充電機能を備えた載置台３と、を有する。
【００１２】
図２は、載置台３の概略構成図である。
【００１３】
図示するように、載置台３は、電話機ＩＦ（インターフェース）部３１と、通話ボタン（ハンズフリーボタン）、ダイヤルキー、ファンクションキー等の入力キーを備えた操作受付部３２と、ＬＣＤ等の表示部３３と、マイクおよびスピーカを備えたハンズフリー部３４と、自載置台３に付与された識別情報である載置台ＩＤを記憶する載置台ＩＤ記憶部３５と、自載置台３に載置されているコードレス電話機２を充電する充電部３６と、を有する。
【００１４】
電話機ＩＦ部３１は、自載置台３に載置されているコードレス電話機２と電気的に接続するためのインターフェースである。図示するように、電話機ＩＦ部３１は、操作信号出力端子３１１と、表示信号入力端子３１２と、音声信号入出力端子３１３と、載置台ＩＤ出力端子３１４と、電力供給端子３１５と、を有する。
【００１５】
操作信号出力端子３１１は、操作受付部３２の操作信号ライン３７１に接続され、この信号ライン３７１を介して、操作受付部３２から出力された操作信号を外部に出力するための端子である。
【００１６】
表示信号入力端子３１２は、表示部３３の表示信号ライン３７２に接続され、この信号ライン３７２を介して、外部から入力された表示信号を表示部３３に出力するための端子である。
【００１７】
音声信号入出力端子３１３は、ハンズフリー部３４の音声信号ライン３７３に接続され、この信号ライン３７３を介して、外部から入力された音声信号をハンズフリー部３４のスピーカに出力すると共に、ハンズフリー部３４のマイクから出力された音声信号を外部に出力するための端子である。
【００１８】
載置台ＩＤ出力端子３１４は、載置台ＩＤ記憶部３５に記憶されている載置台ＩＤを外部に出力するための端子である。
【００１９】
電力供給端子３１５は、充電部３６から出力された供給電力を外部に出力するための端子である。
【００２０】
図３は、コードレス電話機２の概略図である。
【００２１】
図示するように、コードレス電話機２は、無線ＩＦ部２０１と、通信制御部２０２と、呼制御部２０３と、操作受付部２０４と、操作制御部２０５と、ＬＣＤ等の表示部２０６と、表示制御部２０７と、ハンドセット部２０８と、音声処理部２０９と、蓄電部２１０と、載置台ＩＦ部２１１と、記憶部２１２と、主制御部２１３と、を有する。
【００２２】
無線ＩＦ部２０１は、無線ＡＰ４と無線通信するためのインターフェースである。
【００２３】
通信制御部２０２は、ＩＰ電話網５と通信パケットを送受するために必要な処理（エラー検出、エラー訂正、パケット解析等）を行う。
【００２４】
呼制御部２０３は、ＳＩＰ等の呼制御プロトコルに従い呼制御処理を行う。
【００２５】
操作受付部２０４は、通話ボタン、ダイヤルキー、ファンクションキー等の入力キーを備え、これらの入力キーに対する操作内容に応じた操作信号を操作信号ライン２１４に出力する。
【００２６】
操作制御部２０５は、操作信号ライン２１４を介して操作信号を受け付け、その操作信号が示す指示内容を主制御部２１３に通知する。
【００２７】
表示部２０６は、ＬＣＤの表示パネルを備え、表示信号ライン２１５を介して受け付けた表示信号に従い表示パネルに情報を表示する。
【００２８】
表示制御部２０７は、主制御部２１３より受け取った表示データを表示するための表示信号を生成し、これを表示信号ライン２１５に出力する。
【００２９】
ハンドセット部２０８は、マイクおよびスピーカを備え、音声信号ライン２１６を介して受け付けた音声信号に従いスピーカから音声出力する。また、マイクに入力された音声に応じた音声信号を音声信号ライン２１６に出力する。
【００３０】
音声処理部２０９は、音声信号ライン２１６に対する音声信号の入出力を制御する。
【００３１】
蓄電部２１０は、バッテリを備え、載置台ＩＦ部２１１を介して載置台３より供給された電力をこのバッテリに蓄電する。
【００３２】
載置台ＩＦ部２１１は、自コードレス電話機２を載置している載置台３と電気的に接続するためのインターフェースである。図示するように、載置台ＩＦ部２１１は、操作信号入力端子２１１１と、表示信号出力端子２１１２と、音声信号入出力端子２１１３と、載置台ＩＤ入力端子２１１４と、電力入力端子２１１５と、を有する。
【００３３】
操作信号入力端子２１１１は、載置台３の操作信号出力端子３１１と対となる端子である。操作信号入力端子２１１１は、操作受付部２０４の操作信号ライン２１４に接続され、この信号ライン２１４を介して、載置台３の操作信号出力端子３１１から出力された操作信号を操作制御部２０５に出力する。
【００３４】
表示信号出力端子２１１２は、載置台３の表示信号入力端子３１２と対となる端子である。表示信号出力端子２１１２は、表示部２０６の表示信号ライン２１５に接続され、この信号ライン２１５を介して、表示制御部２０７から出力された表示信号を載置台３の表示信号入力端子３１２に出力する。
【００３５】
音声信号入出力端子２１１３は、載置台３の音声信号入出力端子３１３と対となる端子である。音声信号入出力端子２１１３は、ハンドセット部２０８の音声信号ライン２１６に接続され、この信号ライン２１６を介して、音声処理部２０９から出力された音声信号を載置台３の音声信号入出力端子３１３に出力する。また、載置台３の音声信号入出力端子３１３から出力された音声信号を音声処理部２０９に出力する。
【００３６】
載置台ＩＤ入力端子２１１４は、載置台３の載置台ＩＤ出力端子３１４と対となる端子である。載置台ＩＤ入力端子２１１４は、載置台３の載置台ＩＤ出力端子３１４から出力された載置台ＩＤを主制御部２１３に出力する。
【００３７】
電力入力端子２１１５は、載置台３の電力供給端子３１５と対となる端子である。電力入力端子２１１５は、載置台３の電力供給端子３１５から出力された供給電力を蓄電部２１０に出力する。
【００３８】
記憶部２１２には、主制御部２１３での処理に必要な情報が記憶されている。図示するように、記憶部２１２は、電話帳記憶部２１２１と、許可項目記憶部２１２２と、を有する。
【００３９】
電話帳記憶部２１２１には、電話帳データが記憶されている。図４は、電話帳記憶部２１２１の登録内容を模式的に表した図である。図示するように、電話帳記憶部２１２１には、電話番号毎に、電話帳データのレコード２１２１０が登録されている。レコード２１２１０は、レコード２１２１０を一意に識別するためのＩＤを登録するフィールド２１２１１と、電話番号を登録するフィールド２１２１２と、個人名を登録するフィールド２１２１３と、会社名を登録するフィールド２１２１４と、備考（その他の個人情報）を登録するフィールド２１２１５と、を有する。
【００４０】
許可項目記憶部２１２２は、載置台３毎に、自コードレス電話機２がその載置台３に載置されている場合に、表示が許可される項目の情報が記憶されている。図５は、許可項目記憶部２１２２の登録内容を模式的に表した図である。図示するように、許可項目記憶部２１２２には、載置台３に付与されている載置台ＩＤ毎にテーブル２１２２０が登録されている。各テーブル２１２２０には、電話番号毎に、許可項目データのレコード２１２２１が登録されている。レコード２１２２１は、対象の電話番号を持つ電話帳記憶部２１２１のレコード２１２１０に付与されたＩＤを登録するフィールド２１２２２と、電話番号の表示を許可するか否かを示すフラグを登録するフィールド２１２２３と、個人名の表示を許可するか否かを示すフラグを登録するフィールド２１２２４と、会社名の表示を許可するか否かを示すフラグを登録するフィールド２１２２５と、備考の表示を許可するか否かを示すフラグを登録するフィールド２１２２６と、を有する。
【００４１】
主制御部２１３は、自コードレス電話機２の各部２０１〜２１２を統括的に制御する。
【００４２】
具体的には、主制御部２１３は、操作信号ライン２１４を介して操作者から着番号を伴う発信指示を受け付けると、この発信指示を呼制御部２０３に渡す。これを受けて、呼制御部２０３は、主制御部２１３と連携し、通信制御部２０２および無線ＩＦ部２０１を介して発信処理を行い、無線ＡＰ４経由で、着番号により特定される通話相手との間に音声経路を設定する。
【００４３】
また、主制御部２１３は、無線ＩＦ部２０１および通信制御部２０２を介して、無線ＡＰ４経由でＩＰ電話網５から呼データを受信すると、これを呼制御部２０３に渡す。これを受けて、呼制御部２０３は、主制御部２１３と連携し、通信制御部２０２および無線ＩＦ部２０１を介して着信処理を行い、無線ＡＰ４経由で、この呼データの発信元との間に音声経路を設定する。
【００４４】
さらに、主制御部２１３は、図示するように、載置状態判断部２１３１、ハンドセット制御部２１３２、および機能制限部２１３３を有し、これらの各部２１３１〜２１３３を用いて、載置台３への載置状態に応じた制御（載置状態依存制御と呼ぶ）を行う。
【００４５】
図６は、コードレス電話機２の載置状態依存制御を説明するためのフロー図である。
【００４６】
主制御部２１３は、操作制御部２０５から発信操作を示す操作信号（例えば通話ボタンオン）を受け付けると（Ｓ２０１でＹＥＳ）、載置状態判断部２１３１により自コードレス電話機２の載置台３への載置状態の判断する（Ｓ２０２）。載置状態「載置」である場合（Ｓ２０２でＹＥＳ）、後述する発信操作規制により（Ｓ２０３）、自コードレス電話機２を載置している載置台３の載置台ＩＤに応じて電話帳の使用等が規制される。一方、載置状態「非載置」の場合は（Ｓ２０２でＮＯ）、このような規制はない。
【００４７】
その後、主制御部２１３は、操作者から発信先の電話番号を取得すると、この電話番号を伴う発信指示を呼制御部２０３に渡す。これを受けて、呼制御部２０３は、主制御部２１３と連携し、通信制御部２０２および無線ＩＦ部２０１を介して発信処理を行い（Ｓ２０４）、無線ＡＰ４経由で、着番号により特定される通話相手との間に音声経路を設定する。
【００４８】
なお、発信処理（Ｓ２０４）中に、載置状態判断部２１３１により、自コードレス電話機２の載置台３への載置状態が「非載置」から「載置」に変更されたと判断された場合、ハンドセット制御部２１３２は、ハンドセット部２０８をオフにする。一方、この載置状態が「載置」から「非載置」に変更されたと判断された場合、ハンドセット制御部２１３２は、ハンドセット部２０８をオンにする。
【００４９】
また、主制御部２１３は、無線ＩＦ部２０１および通信制御部２０２を介して呼データが着信すると（Ｓ２０５でＹＥＳ）、載置状態判断部２１３１により自コードレス電話機２の載置台３への載置状態の判断する（Ｓ２０６）。載置状態「載置」である場合（Ｓ２０６でＹＥＳ）、後述する着信表示規制により（Ｓ２０７）、自コードレス電話機２を載置している載置台３の載置台ＩＤに応じて発信元情報の表示等が規制される。一方、載置状態「非載置」の場合は（Ｓ２０７でＮＯ）、このような規制はない。
【００５０】
その後、主制御部２１３は、着信した呼データを呼制御部２０３に渡す。これを受けて、呼制御部２０３は、主制御部２１３と連携し、通信制御部２０２および無線ＩＦ部２０１を介して着信処理を行い（Ｓ２０８）、無線ＡＰ４経由で、この呼データの発信元との間に音声経路を設定する。
【００５１】
なお、着信処理（Ｓ２０８）中に、載置状態判断部２１３１により、自コードレス電話機２の載置台３への載置状態が「非載置」から「載置」に変更されたと判断された場合、ハンドセット制御部２１３２は、ハンドセット部２０８をオフにする。一方、この載置状態が「載置」から「非載置」に変更されたと判断された場合、ハンドセット制御部２１３２は、ハンドセット部２０８をオンにする。
【００５２】
また、主制御部２１３は、操作制御部２０５から、電話帳の編集要求を示す操作信号（例えば所定のファンクションキーオン）を受け取ると（Ｓ２０９でＹＥＳ）、載置状態判断部２１３１により自コードレス電話機２の載置台３への載置状態の判断する（Ｓ２１０）。載置状態「非載置」である場合（Ｓ２１０でＮＯ）、主制御部２１３は、操作制御部２０５から、電話帳の編集操作を示す操作信号を受け付け、この操作信号に従って電話帳記憶部２１２１の電話帳データを編集する（Ｓ２１３）。
【００５３】
一方、載置状態「載置」である場合（Ｓ２１０でＹＥＳ）、機能制限部２１３３は、載置台ＩＤ入力端子２１１４を介して、自コードレス電話機２が載置している載置台３の載置台ＩＤ記憶部３５から載置台ＩＤを読み取る（Ｓ２１１）。そして、この載置台ＩＤが自コードレス電話機２と対の載置台３のものとして予め登録されている載置台ＩＤと一致するか否かを判断する（Ｓ２１２）。
【００５４】
自コードレス電話機２を載置している載置台３から読み取った載置台ＩＤが予め登録されている自コードレス電話機２と対の載置台３の載置台ＩＤと一致している場合（Ｓ２１２でＹＥＳ）、機能制限部２１３３は、電話帳の編集を許可する。これにより、主制御部２１３は、操作制御部２０５から、電話帳の編集操作を示す操作信号を受け付け、この操作信号に従って電話帳記憶部２１２１の電話帳データを編集する（Ｓ２１３）。
【００５５】
一方、自コードレス電話機２を載置している載置台３から読み取った載置台ＩＤが予め登録されている自コードレス電話機２と対の載置台３の載置台ＩＤと一致していない場合（Ｓ２１２でＮＯ）、機能制限部２１３３は、電話帳の編集を拒否する。これにより、主制御部２１３は、操作制御部２０５からの電話帳の編集操作を示す操作信号の受け付けを拒否する。また、表示制御部２０７に、電話帳の編集ができない旨を示す表示信号を生成させ、表示信号ライン２１５に出力させる（Ｓ２１４）。
【００５６】
図７は、図６の発信操作規制（Ｓ２０３）を説明するためのフロー図である。
【００５７】
先ず、ハンドセット制御部２１３２は、ハンドセット部２０８をオフにする（Ｓ２０３１）。次に、機能制限部２１３３は、載置台ＩＤ入力端子２１１４を介して、自コードレス電話機２が載置している載置台３の載置台ＩＤ記憶部３５から載置台ＩＤを読み取る（Ｓ２０３２）。そして、この載置台ＩＤに対応するテーブル２１２２０を許可項目記憶部２１２２から検索する（Ｓ２０３３）。
【００５８】
自コードレス電話機２が載置している載置台３から読み取った載置台ＩＤに対応するテーブル２１２２０が許可項目記憶部２１２２に登録されていない場合（Ｓ２０３３でＮＯ）、機能制限部２１３３は、電話帳の使用を拒否する。これにより、主制御部２１３は、電話帳検索機能を無効にする。そして、操作制御部２０５から受付けたダイヤル番号を示す操作信号により、発信先の電話番号を取得する（Ｓ２０３８）。
【００５９】
一方、自コードレス電話機２が載置している載置台３から読み取った載置台ＩＤに対応するテーブル２１２２０が許可項目記憶部２１２２に登録されている場合（Ｓ２０３３でＹＥＳ）、機能制限部２１３３は、電話帳の使用を許可する。これにより、主制御部２１３は、電話帳検索機能を有効にする。そして、主制御部２１３は、操作制御部２０５から、電話帳検索操作を示す操作信号を受け付けたならば（Ｓ２０３４でＹＥＳ）、表示制御部２０７に、電話帳記憶部２１２１に記憶されている電話帳データのレコード２１２１０をリスト表示させ（Ｓ２０３５）、操作者に発信先のレコード２１２１０を選択させる。
【００６０】
この際、機能制限部２１３３は、電話帳記憶部２１２１に記憶されている電話帳データのレコード２１２１０各々について、このレコード２１２１０のＩＤ２１２１１をキーに、自コードレス電話機２が載置している載置台３から読み取った載置台ＩＤに対応するテーブル２１２２０からレコード２１２２１を検索し、検索したレコード２１２２１において表示が許可されている項目を特定する。そして、電話帳データのレコード２１２１０のフィールド２１２１２〜２１２１５のうち、表示が許可されている項目に対応するフィールドについてのみ、表示制御部２０７に表示信号を生成させる。
【００６１】
それから、主制御部２１３は、操作制御部２０５から、選択されたレコード２１２１０を示す操作信号を受け付けたならば、この操作信号が示すレコード２１２１０から発信先の電話番号を取得する（Ｓ２０３６）。
【００６２】
なお、自コードレス電話機２が載置している載置台３から読み取った載置台ＩＤに対応するテーブル２１２２０が許可項目記憶部２１２２に登録されている場合において（Ｓ２０３３でＹＥＳ）、操作制御部２０５から、ダイヤル番号を示す操作信号を受け付けた場合（Ｓ２０３７でＹＥＳ）、主制御部２１３は、この操作信号が示すダイヤル番号を発信先の電話番号として取得する（Ｓ２０３８）。
【００６３】
図８は、図６の着信表示規制（Ｓ２０７）を説明するためのフロー図である。
【００６４】
先ず、ハンドセット制御部２１３２は、ハンドセット部２０８をオフにする（Ｓ２０７１）。次に、機能制限部２１３３は、載置台ＩＤ入力端子２１１４を介して、自コードレス電話機２が載置している載置台３の載置台ＩＤ記憶部３５から載置台ＩＤを読み取る（Ｓ２０７２）。そして、この載置台ＩＤに対応するテーブル２１２２０を許可項目記憶部２１２２から検索する（Ｓ２０７３）。
【００６５】
自コードレス電話機２が載置している載置台３から読み取った載置台ＩＤに対応するテーブル２１２２０が許可項目記憶部２１２２に登録されていない場合（Ｓ２０７３でＮＯ）、機能制限部２１３３は、発信元情報の詳細表示を拒否する。これにより、主制御部２１３は、表示制御部２０７に、発信元の詳細情報（個人名、会社名、備考等）の表示信号を生成させることなく、このフローを終了する。
【００６６】
一方、自コードレス電話機２が載置している載置台３から読み取った載置台ＩＤに対応するテーブル２１２２０が許可項目記憶部２１２２に登録されている場合（Ｓ２０７３でＹＥＳ）、機能制限部２１３３は、発信元情報の表示を許可し、呼データの発信元電話番号をキーに、電話帳記憶部２１２１から電話帳データのレコード２１２１０を検索する（Ｓ２０７４）。
【００６７】
Ｓ２０７４において、電話帳データのレコード２１２１０を検索できなかった場合は（Ｓ２０７４でＮＯ）、このフローを終了する。一方、電話帳データのレコード２１２１０を検索できた場合（Ｓ２０７４でＹＥＳ）、機能制限部２１３３は、呼データの発信元電話番号をキーにして、自コードレス電話機２が載置している載置台３から読み取った載置台ＩＤに対応するテーブル２１２２０からレコード２１２２１を検索し、検索したレコード２１２２１において表示が許可されている項目を特定する（Ｓ２０７５）。そして、Ｓ２０７４で検索した電話帳データのレコード２１２１０のフィールド２１２１２〜２１２１５のうち、表示が許可されている項目に対応するフィールドについてのみ、表示制御部２０７に表示信号を生成させる（Ｓ２０７６）。その後、このフローを終了する。
【００６８】
次に、コードレス電話機２の載置状態判断部２１３１が自コードレス電話機２の載置台３への載置状態を判断する仕組みをより詳細に説明する。
【００６９】
図９は、載置台３の電力供給端子３１５、充電部３６、およびコードレス電話機２の電力入力端子２１１５、蓄電部２１０を説明するための図である。
【００７０】
図示するように、載置台３において、充電部３６は、電力供給端子３１５に電源を供給する電源３６１と、電源３６１の電源供給ラインに挿入された抵抗３６５と、電源３６１の電源供給ラインを流れる電流値を測定する電流メータ３６３と、電力供給端子３１５間の電圧値を測定する電圧メータ３６４と、電流メータ３６３および電圧メータ３６４の測定値に基づいて電源３６１の供給電力を調整する電源コントローラ３６２と、を有する。
【００７１】
また、コードレス電話機２において、蓄電部２１０は、電力入力端子２１１５間の電圧値を測定する電圧メータ２１０２と、電力入力端子２１１５に入力された電力を蓄電するバッテリ２１０１と、電力入力端子２１１５およびバッテリ２１０１間に挿入されたダイオード２１０３と、を有する。
【００７２】
以上のような構成において、蓄電部２１０は、電圧メータ２１０２の測定値に基づいて自コードレス電話機２の充電状態を監視する。また、この測定値を主制御部２１３に出力する。そして、主制御部２１３の載置状態判断部２１３１は、この測定値に基づいて、自コードレス電話機２の載置台３への載置状態を判断する。電力入力端子２１１５間が開放されている場合と、電力入力端子２１１５間に電圧が印加されている場合とで、電圧メータ２１０２の測定値に変化が生じる。そこで、電圧メータ２１０２の測定値に基づいて、自コードレス電話機２の載置台３への載置状態を判断する。
【００７３】
次に、本実施の形態が適用された電話装置１の発着信の動作例を説明する。
【００７４】
図１０は、載置台３に載置されたコードレス電話機２の発信動作例を説明するためのシーケンス図である。
【００７５】
載置台３において、操作受付部３２に設けられた通話ボタン（オフフックボタン）が押下されると（Ｓ６０１）、操作受付部３２は、通話ボタンオンを示す操作信号を出力する。この操作信号は、操作信号ライン３７１を介して、操作信号出力端子３１１から出力される（Ｓ６０２）。そして、コードレス電話機２において、操作信号入力端子２１１１を介して、操作信号ライン２１４に入力される。
【００７６】
コードレス電話機２において、操作制御部２０５は、操作信号ライン２１４より、通話ボタンオンを示す操作信号を受信すると、主制御部２１３に発信操作受付を通知する。これを受けて、主制御部２１３は、載置状態判断部２１３１により、自コードレス電話機２の載置台３への載置状態を確認する。そして、自コードレス電話機２が載置台３に載置されていることを確認したならば、ハンドセット制御部２１３２によりハンドセット部２０８の動作をオフにする（Ｓ６０３）。次に、主制御部２１３は、機能制限部２１３３により載置台ＩＤ入力端子２１１４を介して、載置台３の載置台ＩＤ記憶部３５にアクセスし、この載置台ＩＤ記憶部３５から載置台ＩＤを読み出す（Ｓ６０４）。そして、この載置台ＩＤをキーにして、許可項目記憶部２１２２から、この載置台ＩＤに対応するテーブル２１２２０を検索する（Ｓ６０５）。
【００７７】
載置台３において、操作受付部３２に電話帳の検索指示が入力されると（Ｓ６０６）、操作受付部３２は、電話帳検索操作を示す操作信号を出力する。この操作信号は、操作信号ライン３７１を介して、操作信号出力端子３１１から出力される（Ｓ６０７）。そして、コードレス電話機２において、操作信号入力端子２１１１を介して、操作信号ライン２１４に入力される。
【００７８】
コードレス電話機２において、操作制御部２０５は、操作信号ライン２１４より、電話帳検索操作を示す操作信号を受信すると、主制御部２１３に電話帳の検索要求を通知する。これを受けて、主制御部２１３は、Ｓ６０５において、自コードレス電話機２が載置している載置台３の載置台ＩＤに対応するテーブル２１２２０が検索できていることを確認し、電話帳の使用を許可する。そして、表示制御部２０７に、電話帳記憶部２１２１に記憶されている電話帳データのレコード２１２１０各々をリスト表示させるための表示信号を生成させる（Ｓ６０８）。
【００７９】
この際、機能制限部２１３３は、電話帳記憶部２１２１に記憶されている電話帳データのレコード２１２１０各々について、このレコード２１２１０のＩＤをキーに、自コードレス電話機２が載置している載置台３から読み取った載置台ＩＤに対応するテーブル２１２２０からレコード２１２２１を検索し、検索したレコード２１２２１において表示が許可されている項目を特定する。そして、電話帳データのレコード２１２１０のフィールド２１２１２〜２１２１５のうち、表示が許可されている項目に対応するフィールドについてのみ、表示制御部２０７に表示信号を生成させる。この表示信号は、表示信号ライン２１５を介して表示信号出力端子２１１２から出力される（Ｓ６０９）。そして、載置台３において、表示信号入力端子３１２を介して、表示信号ライン３７２に入力され、表示部３３から出力表示される。
【００８０】
載置台３において、表示部３３にリスト表示されている電話番号の選択指示が操作受付部３２に入力されると（Ｓ６１０）、操作受付部３２は、選択された電話番号の指定を含む操作信号を出力する。この操作信号は、操作信号ライン３７１を介して、操作信号出力端子３１１から出力される（Ｓ６１１）。そして、コードレス電話機２において、操作信号入力端子２１１１を介して、操作信号ライン２１４に入力される。
【００８１】
コードレス電話機２において、操作制御部２０５は、操作信号ライン２１４より選択された電話番号の指定を含む操作信号を受信すると、主制御部２１３にこの電話番号を通知する。これを受けて、主制御部２１３は、呼制御部２０３と連携し、通信制御部２０２および無線ＩＦ部２０１を介して、無線ＡＰ４（ＩＰ電話網５）に、この電話番号を着番号とする呼データを発信する（Ｓ６１２）。そして、主制御部２１３は、無線ＡＰ４（ＩＰ電話網５）から、相手呼出中であることを示す呼出情報を受信すると、呼制御部２０３と連携し、表示制御部２０７に、相手呼出中であることを示す表示信号を生成させる。この表示信号は、表示信号ライン２１５を介して表示信号出力端子２１１２から出力される（Ｓ６１３）。そして、載置台３において、表示信号入力端子３１２を介して、表示信号ライン３７２に入力され、表示部３３から出力表示される。
【００８２】
また、コードレス電話機２において、主制御部２１３は、無線ＡＰ４（ＩＰ電話網５）から呼出音データを受信すると、呼制御部２０３と連携し、呼出音信号を音声処理部２０９から出力する。この呼出音信号は、音声信号ライン２１６を介して音声信号入出力端子２１１３から出力される（Ｓ６１４）。そして、載置台３において、音声信号入出力端子３１３を介して、音声信号ライン３７３に入力され、ハンズフリー部３４から音声出力される。この際、コードレス電話機２のハンドセット部２０８はオフなので、呼出音信号がハンドセット部２０８から音声出力されることはない。
【００８３】
それから、コードレス電話機２において、主制御部２１３は、無線ＡＰ４（ＩＰ電話網５）から応答を受信すると（Ｓ６１５）、呼制御部２０３と連携し、通話相手（呼の宛先）との間に通話路を確立する（Ｓ６１６）。
【００８４】
これにより、通話相手からの通話データが無線ＩＦ部２０１および通信制御部２０２を介して音声処理部２０９に入力され、音声信号に復調される。この音声信号は、音声信号ライン２１６を介して音声信号入出力端子２１１３から出力される。そして、載置台３において、音声信号入出力端子３１３を介して、音声信号ライン３７３に入力され、ハンズフリー部３４から音声出力される。また、載置台３において、ハンズフリー部３４は、入力された音声に応じた音声信号を出力する。この音声信号は、音声信号ライン３７３を介して、音声信号入出力端子３１３から出力される。そして、コードレス電話機２において、音声信号入出力端子２１１３および音声信号ライン２１６を介して、音声処理部２０９に入力され、通話データに変調される。この通話データは、通信制御部２０２および無線ＩＦ部２０１を介して通話相手へ送信される。この際、コードレス電話機２のハンドセット部２０８はオフなので、音声信号がハンドセット部２０８から音声出力されることはない。
【００８５】
図１１は、載置台３に載置されたコードレス電話機２の着信動作例を説明するためのシーケンス図である。
【００８６】
コードレス電話機２において、主制御部２１３は、無線ＩＦ部２０１および通信制御部２０２を介して、無線ＡＰ４（ＩＰ電話網５）から呼データが着信すると（Ｓ７０１）、載置状態判断部２１３１により、自コードレス電話機２の載置台３への載置状態を確認する。そして、自コードレス電話機２が載置台３に載置されていることを確認したならば、ハンドセット制御部２１３２によりハンドセット部２０８の動作をオフにする（Ｓ７０２）。次に、主制御部２１３は、機能制限部２１３３により載置台ＩＤ入力端子２１１４を介して、載置台３の載置台ＩＤ記憶部３５にアクセスし、この載置台ＩＤ記憶部３５から載置台ＩＤを読み出す（Ｓ７０３）。そして、この載置台ＩＤをキーにして、許可項目記憶部２１２２から、この載置台ＩＤに対応するテーブル２１２２０を検索する（Ｓ７０４）。次に、主制御部２１３は、自コードレス電話機２が載置している載置台３の載置台ＩＤに対応するテーブル２１２２０が検索できていることを確認し、発信元の詳細表示を許可する。そして、表示制御部２０７に、発信元の電話帳データのレコード２１２１０が電話帳記憶部２１２１に記憶されているか否かを確認し、記憶されている場合は、このレコード２１２１０の情報を表示させるための表示信号を生成させる（Ｓ７０５）。
【００８７】
この際、機能制限部２１３３は、発信元の電話番号をキーにして、自コードレス電話機２が載置している載置台３から読み取った載置台ＩＤに対応するテーブル２１２２０からレコード２１２２１を検索し、検索したレコード２１２２１において表示が許可されている項目を特定する。そして、発信元の電話帳データのレコード２１２１０のフィールド２１２１２〜２１２１５のうち、表示が許可されている項目に対応するフィールドについてのみ、表示制御部２０７に表示信号を生成させる。この表示信号は、表示信号ライン２０７を介して表示信号出力端子２１１２から出力される（Ｓ７０６）。そして、載置台３において、表示信号入力端子３１２を介して、表示信号ライン３７２に入力され、表示部３３から出力表示される。
【００８８】
また、コードレス電話機２において、主制御部２１３は、無線ＡＰ４（ＩＰ電話網５）から着信音データを受信すると、呼制御部２０３と連携し、着信音信号を音声処理部２０９から出力する。この着信音信号は、音声信号ライン２１６を介して音声信号入出力端子２１１３から出力される（Ｓ７０７）。そして、載置台３において、音声信号入出力端子３１３を介して、音声信号ライン３７３に入力され、ハンズフリー部３４から音声出力される。この際、コードレス電話機２のハンドセット部２０８はオフなので、着信音信号がハンドセット部２０８から音声出力されることはない。
【００８９】
載置台３において、操作受付部３２に設けられた通話ボタン（オフフックボタン）が押下されると（Ｓ７０８）、操作受付部３２は、通話ボタンオンを示す操作信号を出力する。この操作信号は、操作信号ライン３７１を介して、操作信号出力端子３１１から出力される（Ｓ７０９）。そして、コードレス電話機２において、操作信号入力端子２１１１を介して、操作信号ライン２１４に入力される。
【００９０】
コードレス電話機２において、操作制御部２０５は、操作信号ライン２１４より、通話ボタンオンを示す操作信号を受信すると、主制御部２１３に応答操作受付を通知する。これを受けて、主制御部２１３は、呼制御部２０３と連携し、通信制御部２０２および無線ＩＦ部２０１を介して、無線ＡＰ４（ＩＰ電話網５）に応答を送信し（Ｓ７１０）、通話相手（呼の宛先）との間に通話路を確立する（Ｓ７１１）。
【００９１】
これにより、通話相手からの通話データが無線ＩＦ部２０１および通信制御部２０２を介して音声処理部２０９に入力され、音声信号に復調される。この音声信号は、音声信号ライン２１６を介して音声信号入出力端子２１１３から出力される。そして、載置台３において、音声信号入出力端子３１３を介して、音声信号ライン３７３に入力され、ハンズフリー部３４から音声出力される。また、載置台３において、ハンズフリー部３４は、入力された音声に応じた音声信号を出力する。この音声信号は、音声信号ライン３７３を介して、音声信号入出力端子３１３から出力される。そして、コードレス電話機２において、音声信号入出力端子２１１３および音声信号ライン２１６を介して、音声処理部２０９に入力され、通話データに変調される。この通話データは、通信制御部２０２および無線ＩＦ部２０１を介して通話相手へ送信される。この際、コードレス電話機２のハンドセット部２０８はオフなので、音声信号がハンドセット部２０８から音声出力されることはない。
【００９２】
以上、本発明の一実施の形態を説明した。
【００９３】
本実施の形態では、載置台３に操作信号出力端子３１１を設けると共に、コードレス電話機２に操作信号入力端子２１１１を設け、これらの端子３１１、２１１１の接触（すなわち載置台３へのコードレス電話機２の載置）により、これらの端子３１１、２１１１を介して、載置台３に設けられた操作受付部３２がコードレス電話機２の操作信号ライン２１４に連結される。また、載置台３に表示信号入力端子３１２を設けると共に、コードレス電話機２に表示信号出力端子２１１２を設け、これらの端子３１２、２１１２の接触（すなわち載置台３へのコードレス電話機２の載置）により、これらの端子３１２、２１１２を介して、載置台３に設けられた表示部３３がコードレス電話機２の表示信号ライン２１５に連結される。さらに、載置台３およびコードレス電話機２のそれぞれに音声信号入出力端子３１３、２１１３を設け、これらの端子３１３、２１１３の接触（すなわち載置台３へのコードレス電話機２の載置）により、これらの端子３１３、２１１３を介して、載置台３に設けられたハンズフリー部３４がコードレス電話機２の音声信号ライン２１６に連結される。
【００９４】
したがって、本実施の形態によれば、コードレス電話機２を載置台３に載置した状態でも通話が可能である。また、載置台３に、載置状態に応じてコードレス電話機２とのインターフェースを切り替えるための制御回路を搭載する必要がない。
【００９５】
また、本実施の形態では、コードレス電話機２に、自コードレス電話機２の載置台３への載置状態を判断する載置状態判断部２１３１と、載置状態判断部２１３１により自コードレス電話機２が載置台３に載置されていると判断された場合に、ハンドセット部２０８の動作を停止するハンドセット制御部２１３２と、を設けている。
【００９６】
このため、本実施の形態によれば、コードレス電話機２のハンドセット部２０８および載置台３のハンズフリー部３４の両方が同時に有効になる事態を防止することができる。
【００９７】
また、本実施の形態では、載置台３に、自載置台３に載置されているコードレス電話機２に電力を供給する電力供給端子３１５と、この電力供給端子３１５を介して、自載置台３に載置されているコードレス電話機２を充電する充電部３６と、を設けている。また、コードレス電話機２に、自コードレス電話機２を載置している載置台３から電力を入力する電力入力端子２１１５と、電力入力端子２１１５に入力された電力を蓄電する蓄電部２１０と、を設けている。そして、コードレス電話機２の載置状態判断部２１３１に、電力入力端子２１１５に入力される電力の状態に基づいて、自コードレス電話機２の載置台３への載置状態を判断させる。
【００９８】
このため、本実施の形態によれば、コードレス電話機２に、コードレス電話機２の載置台３への載置状態を検出するためのセンサを特別に設ける必要がない。
【００９９】
また、本実施の形態では、載置台３に、自載置台３に付与された載置台ＩＤを記憶する載置台ＩＤ記憶部３５と、自載置台３に載置されているコードレス電話機２に、載置台ＩＤ記憶部３５に記憶されている載置台ＩＤを出力する載置台ＩＤ出力端子３１４と、を設けている。また、コードレス電話機２に、自コードレス電話機２を載置している載置台３から載置台ＩＤを入力する載置台ＩＤ入力端子２１１４と、載置状態判断部２１３１により自コードレス電話機２が載置台３に載置されていると判断された場合に、載置台ＩＤ入力端子２１１４を介して入力された載置台ＩＤに対応付けられて許可項目記憶部２１２２に記憶されているテーブル２１２２０に従い、表示制御部２０７が生成する表示信号を制限する機能制限部２１３３と、を設けている。
【０１００】
このため、本実施の形態によれば、例えば、ユーザが自身の電話装置１のコードレス電話機２を他人の電話装置１の載置台３に載置して使用する場合において、載置台３の表示部３３に他人に見られたくない友人の詳細情報が表示されるのを防止することができる。
【０１０１】
また、本実施の形態において、機能制限部２１３３は、載置状態判断部２１３１により自コードレス電話機２が載置台３に載置されていると判断された場合において、載置台ＩＤ入力端子２１１４を介して入力された載置台ＩＤが自コードレス電話機２と対の載置台３の載置台ＩＤと一致しない場合に、操作制御部２０５での電話帳データ編集の操作信号の受け付けを拒否する。
【０１０２】
このようにすることで、本実施の形態によれば、例えば、ユーザが自身の電話装置１のコードレス電話機２を他人の電話装置１の載置台３に載置しておく場合において、他人がこの載置台３を用いて自コードレス電話機２の電話帳データを勝手に編集することを防止することができる。
【０１０３】
なお、本発明は、上記の実施の形態に限定されるものではなく、その要旨の範囲内で数々の変形が可能である。例えば、本実施の形態では、コードレス電話機２において、主制御部２１３の機能制限部２１３３が載置状態判断部２１３１により自コードレス電話機２が載置台３に載置されていると判断された場合において、載置台ＩＤ入力端子２１１４を介して入力された載置台ＩＤが、自コードレス電話機２と対の載置台３の載置台ＩＤと一致しない場合に、操作制御部２０５での電話帳データ編集の操作信号の受け付けを拒否する。しかし、本発明はこれに限定されない。機能制限部２１３３は、載置状態判断部２１３１により自コードレス電話機２が載置台３に載置されていると判断された場合において、載置台ＩＤ入力端子２１１４を介して入力された載置台ＩＤが自コードレス電話機２と対の載置台３の載置台ＩＤと一致しない場合に、操作制御部２０５での所定の操作信号の受け付けを拒否するものであればよい。例えば、操作制御部２０５でのリダイアルの操作信号の受け付けを拒否するものでもよい。
【０１０４】
このようにすることで、本実施の形態によれば、例えば、ユーザが自身の電話装置１のコードレス電話機２を他人の電話装置１の載置台３に載置して使用する場合において、他人がこの載置台３を用いて、自コードレス電話機２の着信履歴または発信履歴からリダイアルすることを防止することができる。
【０１０５】
以上のように、コードレス電話機２が、対となる載置台３以外の載置台に載置されている場合には、載置台３側からのコードレス電話機２の機能の利用を制限することができる。このため、例えば、コードレス電話機２に操作受付部３２のロック機能が設けてられていれば、ユーザは、自身の専用のコードレス電話機２を、操作受付部３２をロックした状態で自身の載置台３以外の載置台に載置しておくことにより、自身のコードレス電話機２を、プライベート機能の利用が制限された電話機として他人と共用することができる。また、例えば、コードレス電話機２が、対となる載置台３に乗せられている状態でのみ、電話帳データの編集、リトライ要求が許可されるようにした場合も、ユーザは、自己のコードレス電話を、安心して、他人と共用することができる。
【０１０６】
また、本実施の形態では、コードレス電話機２の無線通信に無線ＬＡＮを利用する場合を想定して説明した。しかし、本発明はこれに限定されない。コードレス電話機２の無線通信にＰＨＳや携帯電話を利用してもよい。
【図面の簡単な説明】
【０１０７】
【図１】図１は、本発明の一実施の形態が適用された電話装置の概略構成図である。
【図２】図２は、載置台３の概略構成図である。
【図３】図３は、コードレス電話機２の概略図である。
【図４】図４は、電話帳記憶部２１２１の登録内容を模式的に表した図である。
【図５】図５は、許可項目記憶部２１２２の登録内容を模式的に表した図である。
【図６】図６は、コードレス電話機２の載置状態依存制御を説明するためのフロー図である。
【図７】図７は、図６の発信操作規制（Ｓ２０３）を説明するためのフロー図である。
【図８】図８は、図６の着信表示規制（Ｓ２０７）を説明するためのフロー図である。
【図９】図９は、載置台３の電力供給端子３１５、充電部３６、およびコードレス電話機２の電力入力端子２１１５、蓄電部２１０を説明するための図である。
【図１０】図１０は、載置台３に載置されたコードレス電話機２の発信動作例を説明するためのシーケンス図である。
【図１１】図１１は、載置台３に載置されたコードレス電話機２の着信動作例を説明するためのシーケンス図である。
【符号の説明】
【０１０８】
１：電話装置、２：コードレス電話機、３：載置台、４：無線ＡＰ、５：ＩＰ電話網、３１：内線ＩＦ部、１３：通信制御部、１４：ＧＷ部、１５：ルータ部、１６：呼制御部、１７：時計部、１８：親子情報記憶部、１９：主制御部、２１：有線端末、２２：無線端末、３１：電話機ＩＦ部、３２：操作受付部、３３：表示部、３４：ハンズフリー部、３５：載置台ＩＤ記憶部、３６：充電部、２０１：無線ＩＦ部、２０２：通信制御部、２０３：呼制御部、２０４：操作受付部、２０５：操作制御部、２０６：表示部、２０７：表示制御部、２０８：ハンドセット部、２０９：音声処理部、２１０：蓄電部、２１１：載置台ＩＦ部、２１２：記憶部、２１３：主制御部、３１１：操作信号出力端子、３１２：表示信号入力端子、３１３：音声信号入出力端子、３１４：載置台ＩＤ出力端子、３１５：電力供給端子、２１１１：操作信号入力端子、２１１２：表示信号出力端子、２１１３：音声信号入出力端子、２１１４：載置台ＩＤ入力端子、２１１５：電力入力端子、２１２１：電話帳記憶部、２１２２：許可項目記憶部、２１３１：載置状態判断部、２１３２：ハンドセット制御部、２１３３：機能制限部
【図１】
2008259006.tif 000003
【図２】
2008259006.tif 000004
【図３】
2008259006.tif 000005
【図４】
2008259006.tif 000006
【図５】
2008259006.tif 000007
【図６】
2008259006.tif 000008
【図７】
2008259006.tif 000009
【図８】
2008259006.tif 000010
【図９】
2008259006.tif 000011
【図１０】
2008259006.tif 000012
【図１１】
2008259006.tif 000013